(57)【特許請求の範囲】
【請求項１】
車体リアドア開口部の周辺に配置されて、車体後部に結合されるリア補強メンバを含み、
前記リア補強メンバは、車両の高さ方向の上方に開口されるように形成され、
前記車体後部は、
車両の長手方向に沿って延びるように形成され、車両の幅方向に沿って左右両側に配置された左右両側のリアサイドメンバと、
前記左右両側のリアサイドメンバの車両の高さ方向に沿った上面に結合された左右両側のリアショックアブソーバマウンティング補強メンバと、
前記左右両側のリアサイドメンバを車両の幅方向に連結するリアクロスローワー補強メンバと、
前記左右両側のリアショックアブソーバマウンティング補強メンバに一端が結合され、他端は、車両の高さ方向に沿って延びるように形成されて、車両の幅方向に沿って左右両側に配置されたセンタフィラーに結合された、左右両側のクォーターセンタ補強メンバと、
前記左右両側のリアショックアブソーバマウンティング補強メンバに一端が結合され、他端は、車両の長手方向に沿って延びるように形成されて、車両の幅方向に沿って左右両側に配置されたルーフサイドレールメンバに結合された、左右両側のクォーターアッパフィラーメンバと、
前記左右両側のクォーターアッパフィラーメンバを連結するリアクロスアッパ補強メンバと、
を含む、車体後部の補強構造。
【請求項２】
前記リア補強メンバは、車両の高さ方向の上方に開口された「Ｕ」字形状に形成されることを特徴とする、請求項１に記載の車体後部の補強構造。
【請求項３】
前記リアクロスアッパ補強メンバ、前記左右両側のクォーターアッパフィラーメンバ、及び前記左右両側のリアサイドメンバにより、前記車体リアドア開口部が形成されることを特徴とする、請求項１又は２に記載の車体後部の補強構造。
【請求項４】
前記リア補強メンバは、その長手方向に沿った両端が前記リアクロスアッパ補強メンバに結合されて、環状構造が形成されることを特徴とする、請求項１又は２に記載の車体後部の補強構造。
【請求項５】
前記リア補強メンバの長手方向に沿って所定部位には、２つの第１延長メンバが突出するように形成され、前記２つの第１延長メンバは、前記左右両側のリアショックアブソーバマウンティング補強メンバに結合されることを特徴とする、請求項４に記載の車体後部の補強構造。
【請求項６】
前記リア補強メンバの幅方向に沿った左右両側部位に、２つの第２延長メンバが一体に突出して延びるように形成され、前記２つの第２延長メンバは、前記左右両側のリアサイドメンバの車両の長手方向に沿った後方先端部の上面にそれぞれ結合されることを特徴とする、請求項５に記載の車体後部の補強構造。
【請求項７】
前記２つの第２延長メンバは、前記２つの第１延長メンバより車両の高さ方向に沿った下部に配置されることを特徴とする、請求項６に記載の車体後部の補強構造。
【請求項８】
前記リア補強メンバの幅方向に沿った中央部位には、第３延長メンバが突出して延びるように形成され、前記第３延長メンバは、前記リアクロスローワー補強メンバと連結されることを特徴とする、請求項６に記載の車体後部の補強構造。
【請求項９】
前記第１延長メンバ、前記第２延長メンバ、及び前記第３延長メンバは、それぞれ車両の長手方向に沿った前方に突出して形成されることを特徴とする、請求項８に記載の車体後部の補強構造。
【請求項１０】
前記リア補強メンバの車両の幅方向に沿った中央部位に、第４延長メンバが車両の長手方向に沿った後方に突出するように延びて形成され、前記第４延長メンバにテールゲートラッチが設置されることを特徴とする、請求項９に記載の車体後部の補強構造。
【請求項１１】
前記第４延長メンバは、前記第３延長メンバと車両の長手方向に沿って同一線上に配置されることを特徴とする、請求項１０に記載の車体後部の補強構造。
【請求項１２】
前記リア補強メンバは、円形パイプで製作されることを特徴とする、請求項１〜１１のいずれか一項に記載の車体後部の補強構造。
【発明の詳細な説明】
【技術分野】
【０００１】
本発明は、車両の車体後部の補強構造に係わり、より詳しくは、ハッチバックタイプのスペースフレーム車体において、テールゲートが開閉する車体リアドア開口部を補強する、車体後部の補強構造に関する。
【背景技術】
【０００２】
従来、フレームタイプの車体メンバを互いに連結して車体を構成した、いわゆる、スペースフレーム車体は、車両の長手方向に沿って前方に位置して、エンジンルームを構成する車体前部と、車両の長手方向に沿って中央に位置して、乗客室を構成する車体中央と、車両の長手方向に沿って後方に位置して、トランクルームを構成する車体後部とを含む。
【０００３】
エンジンルームが車両の長手方向に沿って後方に位置するミドシップ（ｍｉｄｓｈｉｐ）車両の車体後部は、車両の長手方向に沿って延びて、車両の幅方向に沿って左右両側に配置されたリアサイドメンバと、車両のルーフ間の空間に多数の車体フレームをトラス構造に連結する形態を取り、前記トラス構造の一部車体フレームは、リアショックアブソーバと連結されている。
【０００４】
このようなスペースフレーム車両の車体後部構造において、ハッチバック（ｈａｔｃｈｂａｃｋ）タイプの場合には、テールゲートが開閉する車体リアドア開口部が備えられるが、この車体リアドア開口部の剛性を適切に補強できる補強構造の開発が必要となった。
【発明の概要】
【発明が解決しようとする課題】
【０００５】
本発明は、上記の問題点に鑑みてなされたものであって、本発明の目的は、スペースフレームタイプの車体後部構造において、テールゲートが開閉する車体リアドア開口部の周辺剛性を適切に補強することにより、テールゲートの円滑な開閉動作、及びテールゲートの安定した閉鎖姿勢を維持できるようにした、車体後部の補強構造を提供することにある。
【課題を解決するための手段】
【０００６】
上記課題を解決するために、本発明の実施形態による車体後部の補強構造は、車体リアドア開口部の周辺に配置されて、車体後部に結合されるリア補強メンバを含み、前記リア補強メンバは、車両の高さ方向の上方に開口されるように形成されることができる。
【０００７】
前記リア補強メンバは、車両の高さ方向の上方に開口された「Ｕ」字形状に形成されることができる。
【０００８】
前記車体後部は、車両の長手方向に沿って延びるように形成され、車両の幅方向に沿って左右両側に配置された左右両側のリアサイドメンバと、前記左右両側のリアサイドメンバの車両の高さ方向に沿った上面に結合された左右両側のリアショックアブソーバマウンティング補強メンバと、前記左右両側のリアサイドメンバを車両の幅方向に連結するリアクロスローワー補強メンバと、前記左右両側のリアショックアブソーバマウンティング補強メンバに一端が結合され、他端は、車両の高さ方向に沿って延びるように形成されて、車両の幅方向に沿って左右両側に配置されたセンタフィラーに結合された、左右両側のクォーターセンタ補強メンバと、前記左右両側のリアショックアブソーバマウンティング補強メンバに一端が結合され、他端は、車両の長手方向に沿って延びるように形成されて、車両の幅方向に沿って左右両側に配置されたルーフサイドレールメンバに結合された、左右両側のクォーターアッパフィラーメンバと、前記左右両側のクォーターアッパフィラーメンバを連結するリアクロスアッパ補強メンバとを含むことができる。
【０００９】
前記リアクロスアッパ補強メンバ、前記左右両側のクォーターアッパフィラーメンバ、及び前記左右両側のリアサイドメンバにより、前記車体リアドア開口部が形成されることができる。
【００１０】
前記リア補強メンバは、その長手方向に沿った両端が前記リアクロスアッパ補強メンバに結合されて、環状構造が形成されることができる。
【００１１】
前記リア補強メンバの長手方向に沿って所定部位には、２つの第１延長メンバが突出するように形成され、前記２つの第１延長メンバは、前記左右両側のリアショックアブソーバマウンティング補強メンバに結合されることができる。
【００１２】
前記リア補強メンバの幅方向に沿った左右両側部位に、２つの第２延長メンバが一体に突出して延びるように形成され、前記２つの第２延長メンバは、前記左右両側のリアサイドメンバの車両の長手方向に沿った後方先端部の上面にそれぞれ結合されることができる。
【００１３】
前記２つの第２延長メンバは、前記２つの第１延長メンバより車両の高さ方向に沿った下部に配置されることができる。
【００１４】
前記リア補強メンバの幅方向に沿った中央部位には、第３延長メンバが突出して延びるように形成され、前記第３延長メンバは、前記リアクロスローワー補強メンバと連結されることができる。
【００１５】
前記第１延長メンバ、前記第２延長メンバ、及び前記第３延長メンバは、それぞれ車両の長手方向に沿った前方に突出して形成されることができる。
【００１６】
前記リア補強メンバの車両の幅方向に沿った中央部位に、第４延長メンバが車両の長手方向に沿った後方に突出するように延びて形成され、前記第４延長メンバにテールゲートラッチが設置されることができる。
【００１７】
前記第４延長メンバは、前記第３延長メンバと車両の長手方向に沿って同一線上に配置されることができる。
【００１８】
前記リア補強メンバは、円形パイプで製作されることができる。
【発明の効果】
【００１９】
本発明の実施形態による車体後部の補強構造によれば、ほぼ「Ｕ」字形状を有するリア補強メンバが、車両の高さ方向に沿って上部に位置して、車両の幅方向に沿って延びたリアクロスアッパ補強メンバと、車両の長手方向に沿って延びるように形成されて、車両の幅方向に沿って左右両側に配置された左右両側のリアサイドメンバを、車両の幅方向に連結するリアクロスローワー補強メンバと、リアショックアブソーバの装着剛性を補強するリアショックアブソーバマウンティング補強メンバとにそれぞれ連結されて、前記リア補強メンバとリアクロスアッパ補強メンバが共に環状構造を形成することにより、車体後部の構造的な剛性を効果的に増大させることができる。
【００２０】
また、前記環状構造の内部に、テールゲートが開閉する車体リアドア開口部が備えられて、車体リアドア開口部の周辺が前記環状構造によって補強されることにより、車体リアドア開口部の周辺剛性が増大して、テールゲートの開閉動作が円滑に行われ、テールゲートが安定した閉鎖姿勢を維持することができる。
【００２１】
これと同時に、前記リア補強メンバは、円形パイプで形成されて、３次元形状などの形状製作が容易であり、低い製作費用で車体後部を容易に補強することができる。
【図面の簡単な説明】
【００２２】
【図１】本発明の実施形態による車体後部の補強構造の斜視図である。
【図２】本発明の実施形態による車体後部の補強構造の側面図である。
【発明を実施するための形態】
【００２３】
以下、本発明の実施形態について、添付された例示図面を参照して詳細に説明する。
【００２４】
図１を参照すれば、本発明の実施形態による補強構造が適用される車体後部は、車体フレームメンバが互いに連結されたフレームタイプであって、車両の長手方向に沿って延びるように形成されて、車両の幅方向に沿って左右両側に配置されたリアサイドメンバ１０を含むことができる。
【００２５】
左右両側のリアサイドメンバ１０の車両の高さ方向に沿った各上面には、左右両側のリアショックアブソーバマウンティング補強メンバ３０が取り付けられ、左右両側のリアショックアブソーバマウンティング補強メンバ３０にはクォーターセンタ補強メンバ４０の一端が結合され、クォーターセンタ補強メンバ４０の他端は、車両の高さ方向に沿って延びるように形成されて、車両の幅方向に沿って左右両側に配置されたセンタフィラー５０に結合される。
【００２６】
また、リアショックアブソーバマウンティング補強メンバ３０にはクォーターアッパフィラーメンバ６０の一端が結合され、クォーターアッパフィラーメンバ６０の他端は、ルーフサイドレールメンバ７０に結合される。
【００２７】
左右両側のリアサイドメンバ１０をリアクロスローワー補強メンバ８０が連結して、車体後部の構造的な剛性を増大させ、左右両側のクォーターアッパフィラーメンバ６０をリアクロスアッパ補強メンバ９０が連結して、車体後部の構造的な剛性を増大させるようになる。
【００２８】
リアクロスアッパ補強メンバ９０、左右両側のクォーターアッパフィラーメンバ６０、左右両側のリアサイドメンバ１０によって取り囲まれた開口部は、図示されていないテールゲートが開閉する車体リアドア開口部１００を形成するようになる。
【００２９】
車体リアドア開口部１００の周辺部を補強して、車体後部の構造的な剛性を増大させる本発明の実施形態による車体後部の補強構造は、車体リアドア開口部１００の周辺部に配置されたリア補強メンバ１１０を含むことができる。
【００３０】
リア補強メンバ１１０は、一側辺が開口されたほぼ「Ｕ」字形状に形成されてもよい。
【００３１】
リア補強メンバ１１０の両端は、リアクロスアッパ補強メンバ９０にそれぞれ結合され、リア補強メンバ１１０の長手方向に沿って所定部位には、２つの第１延長メンバ１１２が突出するように形成されることができる。
【００３２】
２つの第１延長メンバ１１２は、リアショックアブソーバマウンティング補強メンバ３０に結合され、リア補強メンバ１１０が２つの延長メンバ１１２を通じてリアショックアブソーバマウンティング補強メンバ３０に連結されることができる。
【００３３】
２つの第１延長メンバ１１２は、幅方向に沿った左右両側で対称するように配置され、リア補強メンバ１１０と共に鋭角を成すように延びて形成されることができる。
【００３４】
また、リア補強メンバ１１０の幅方向に沿って所定部位、すなわち、前記第１延長メンバ１１２より車両の高さ方向に沿った下部で、幅方向に沿った左右両側部位に２つの第２延長メンバ１１４が一体に突出して延びるように形成され、２つの第２延長メンバ１１４は、リアサイドメンバ１０の車両の長手方向に沿った後方先端部の上面にそれぞれ結合されることができる。
【００３５】
これと共に、リア補強メンバ１１０の幅方向に沿ったほぼ中央部位には、第３延長メンバ１１６が突出して延びるように形成されて、リアクロスローワー補強メンバ８０と連結されることができる。
【００３６】
第１延長メンバ１１２、第２延長メンバ１１４、及び第３延長メンバ１１６は、それぞれ車体後部を構成する各メンバと連結されて、車体後部の車体リアドア開口部１００の周辺を補強するようになる。
【００３７】
第１延長メンバ１１２、第２延長メンバ１１４、及び第３延長メンバ１１６は、それぞれ車両の長手方向に沿った前方に突出して形成される。
【００３８】
第４延長メンバ１１８は、幅方向に沿ったほぼ中央部位から、車両の長手方向に沿った後方に突出するように延びて形成されることができる。
【００３９】
第４延長メンバ１１８は、第３延長メンバ１１６と車両の長手方向に沿ったほぼ同一線上に配置されることができる。
【００４０】
第４延長メンバ１１８は、図示されていないテールゲートラッチを装着して支持できるので、テールゲートラッチの装着剛性を増大させて、テールゲートの安定した閉鎖姿勢を維持するのが可能である。
【００４１】
リア補強メンバ１１０は、断面がほぼ円形になる円形パイプで製作できる。
【００４２】
リア補強メンバ１１０を円形パイプで製作すれば、ベンディング工法等による３次元形状の製作が容易になるので、低コストで製作できるという利点がある。
【００４３】
以上、本発明は、限定された実施形態と図面を通して説明されたが、本発明はこれに限定されない。本発明が属する技術分野における通常の知識を有する者であれば、本発明の技術思想と特許請求の範囲の均等範囲内で多様な修正及び変形が可能である。
【符号の説明】
【００４４】
１０  リアサイドメンバ
３０  リアショックアブソーバマウンティング補強メンバ
４０  クォーターセンタレーンポスメンバ
５０  センタフィラー
６０  クォーターアッパフィラーメンバ
７０  ルーフサイドレールメンバ
８０  リアクロスローワー補強メンバ
９０  リアクロスアッパ補強メンバ
１００  車体リアドア開口部
１１０  リア補強メンバ
【図１】
0006594701.tif 000002
【図２】
0006594701.tif 000003